(57)【特許請求の範囲】
【請求項１】
フランジにバーレル端部に対する嵌合部を形成すると共に前記バーレルの軸線上に位置する軸材の取付部を一体として形成し、
前記バーレル内面にアンカープレートを取付け、該アンカープレートとラッフルを上記フランジの中央部における内外に対設し固定手段によって締着したことを特徴とするフランジビーム機構。
【請求項２】
アンカープレートの中央部に開口部を形成すると共にその周側にバーレル内面に螺合する螺合条を形成し、
軸材をフランジの軸線にそって該フランジに挿着すると共に前記アンカープレートの開口部内に位置したロックナットによってフランジに固定したことを特徴とする請求項１に記載のフランジビーム機構。
【請求項３】
ラッフルを盤状に形成し、該ラッフルの中心部に形成した挿着孔に中間に係止鍔を形成した軸材を挿着係止せしめ、
前記軸材の端部に螺合したナットによってフランジの内面に締着したことを特徴とする請求項１または２の何れか１つに記載のフランジビーム機構。
【発明の詳細な説明】
【０００１】
【産業上の利用分野】
本発明はフランジビーム機構に係り、織機などに採用されるフランジビーム機構の構成部材数を縮減して簡易低コストな製品を得しめ、しかも強度的に安定した機構を提供しようとするものである。
【０００２】
【従来の技術】
フランジビーム機構として従来一般的に採用されているものはユーザ側における組立および調整を可能ならしむべく図５および図６に示す如くで、フランジ２１をビームバーレル２２に取付けるに当ってバーレル２２をベースとし、バーレル２２の基端部をフランジ２１の開口部３１に挿入し、しかもバーレル２２の軸心部に中心軸２４を取付けると共にラッフル２３を設けるためにラッフル２３の鍔部に対する接合座２５ｃを有する内側筒部２５ａと外側筒部２５ｂとを有する内装部材２５をバーレル２２内にセットすると共にバーレル２２の突出部に係合溝３２を設け、該係合溝３２に対する係合突部３０をもった分割締付金具２０を図６に示すように締付座２８，２８における締付子２９，２９で締着し、これを取付ボルト２６でフランジ２１に定着するようになっている。
【０００３】
また前記内装部材２５は内側筒部２５ａをバーレル２２の端部より適度に突出せしめ、該突出部の外側に断面がＬ字形をなしたラッフル２３をセットして取付ボルト２７で固定し、このようにして取付けられたラッフル２３の外側端部によってバーレル２２に対する内装部材２５およびラッフル２３の関係位置を規定するようにされたもので、フランジ２１および分割締付金具２０には夫々補強リブ３３，３４，３５が配設されている。
【０００４】
即ち、この図５、６に示す構成のものはバーレル２２をベースとし、これにフランジ２１および中心軸２４を取付けるようにされたもので、しかもこの場合において近時においてはバーレル２２は充分に薄層化されて軽量化した圧延体であるのに対しフランジ２１は鋳造体であって、薄層バーレル２２に鋳造体であるフランジ２１を安定に取付けるためにはバーレル２２内を補強し、しかもその中心に中心軸２４をセットするために上記したような内装部体２５が不可欠である。一方平滑なバーレルの外周面にフランジ２１を取付けるには溝３２に係合することが必要で、またこのような溝３２に嵌合した取付けをなすには分割部体が不可欠で分割締金具２０、その取付子２６なども必要となり、勿論それらとは別にラッフル２３も必要で、図示するような構成とされたものである。
【０００５】
【発明が解決しようとする課題】
上記した図５，６に示す従来のフランジビームはその設計当初における製作加工精度からしてやむを得ないような事情があるとしても、その構成が相当に複雑であり、構成部材点数が多い。即ち外観的に補強リブの配設された部体はフランジ２１と分割締付金具２０，２０の３部体より成り、またバーレル２２内に内装部材２５を装着してバーレルを補強すると共に中心軸を取付け、これらの部体とラッフル２３との組付関係を適切に確保することが必要であることから部品点数や加工が煩雑とならざるを得ない。
【０００６】
また上記のような従来の部品点数の多いものはそれらの各部品を製作すること自体が煩雑で、しかもそれらの各部品における取付精度を高めるための加工ないし精度なども工数の多いこととならざるを得ず、必然的にコストアップとなり、その保守ないし管理なども困難とならざるを得ないなどの不利を有している。
【０００７】
【課題を解決するための手段】
本発明は上記したような従来のビームフランジにおける課題を解決することについて検討を重ね、その構成部材点数を大幅に低減し、しかも簡易且つ的確な組立状態を形成して好ましい低コスト化を得ることに成功したものであって、以下の如くである。
【０００８】
（１）  フランジにバーレル端部に対する嵌合部を形成すると共に前記バーレルの軸線上に位置する軸材の取付部を一体として形成し、前記バーレル内面にアンカープレートを取付け、該アンカープレートとラッフルを上記フランジの中央部における内外に対設し固定手段によって締着したことを特徴とするフランジビーム機構。
【０００９】
（２）  アンカープレートの中央部に開口部を形成すると共にその周側にバーレル内面に螺合する螺合条を形成し、軸材をフランジの軸線にそって該フランジに挿着すると共に前記アンカープレートの開口部内に位置したロックナットによってフランジに固定したことを特徴とする前記（１）項に記載のフランジビーム機構。
【００１０】
（３）  ラッフルを盤状に形成し、該ラッフルの中心部に形成した挿着孔に中間に係止鍔を形成した軸材を挿着係止せしめ、前記軸材の端部に螺合したナットによってフランジの内面に締着したことを特徴とする前記（１）項または（２）項の何れか１つに記載のフランジビーム機構。
【００１１】
【作用】
フランジにバーレル端部に対する嵌合部を形成すると共に前記バーレルの軸線上に位置する軸材の取付部を一体として形成し、前記バーレル内面にアンカープレートを取付け、該アンカープレートとラッフルを上記フランジの中央部における内外に対設し固定手段によって締着したことによって鋳造体で厚肉に形成されるフランジを中核とした組立て関係を形成し、基本的にこのフランジに対しその両側にバーレルおよびラッフルを対向せしめて組付ける比較的簡易な構成によってフランジビームを構成し、しかも各取付け部分が比較的大きい安定した接合面積を採った好ましい取付関係を形成する。
【００１２】
アンカープレートの中央部に開口部を形成すると共にその周側にバーレル内面に螺合する螺合条を形成したことによりバーレル内に有効に取付け、しかも軸材をフランジの軸線にそって前記フランジに挿着すると共に前記アンカープレートの開口部内に位置したロックナットによってフランジに固定したことによって軸材をフランジを利用してバーレルの軸線上に適切に取付け、またこのような軸材（中心軸）を適宜に交換することを可能ならしめる。
【００１３】
ラッフルを盤状に形成し、該ラッフルの中心部に形成した挿着孔に中間に係止鍔を形成した軸材を挿着係止せしめたことによって上記のようにフランジに取付けられた軸材の軸線および取付け位置を安定化し、前記軸材の端部に螺合したロックナットによってフランジの内面に締着したことによって軸材が係止鍔とロックナットにより適切に固定化される。またフランジに対するラッフルの取付関係を安定化し、なおラッフルが固定手段によって上記したアンカープレートに取付けられることによって全体の有効な一体化を図らしめる。
【００１４】
【実施例】
上記したような本発明によるものの具体的な実施態様を添付図面に示すものについて説明すると、本発明ビームフランジにおける構成部品はフランジ１とバーレル２およびラッフル３を主体とし、フランジ１にはバーレル２の端部を受入れる嵌合段部７を形成すると共にフランジ１とラッフル３の中心軸線（従ってバーレル２の中心軸線でもある）にそって軸材４が取付けられたもので、ラッフル３の取付けのためにバーレル２の端部内面に雌螺条１２を形成してアンカープレート５を螺合せしめ、該アンカープレート５に固定手段８を螺合してバーレル２を含む全体の取付関係を適切に構成し全般の強度高く安定に取付けるよう構成されている。
【００１５】
上記したアンカープレート５はその周縁部に上記のような螺合のための雄螺条１５を形成しているが、またその中央部に開口１６を形成し、前記軸材４の尾端に対するロックナット６やワッシャなどを適宜に操作し得るようになっており、フランジ１の背面にはバーレル２の端部を受入れる接合面１７が凹穴状に嵌合段部７の奥部に形成されていることは図示の如くである。
【００１６】
なお図１に示すように固定手段８が多数個等間隔に配設されていることも相俟ってフランジ１とバーレル２が充分な強度を以て組付けられ、ラッフル３の取付け状態も軸材４の中間に形成された係止鍔１４が図３，４に示すような係止段１８に対向して接合し且つ前記ロックナット６によって締着されることにより強固且つ安定である。バーレル２、フランジ１およびラッフル３が有効に一体化して回転せしめられることは明かである。
【００１７】
更に鋳造体であるフランジ１には補強リブ１９，１９ａが半径方向および円周方向にそって設けられるが図２および図１に示すようにフランジ１が一体に配設形成されたものであることからしてその補強効果が高く、全般をスマートに形成することができて、しかも回転時における空気抵抗なども少いことは明かである。
【００１８】
【発明の効果】
以上説明したような本発明によるときは、この種製品における構成関係を基本的に改善し、即ちこのようなフランジビーム機構における構成部材数を大幅に縮減し簡易且つ低コストにしかも強度高く目的の製品を形成し、また回転時における空気抵抗なども少い有用な機構を提供し得るものであって、工業的にその効果の大きい発明である。
【図面の簡単な説明】
【図１】本発明によるフランジビーム機構の組立状態を示した部分的断面図である。
【図２】図１に示したもののフランジ部分についての部分的正面図である。
【図３】図１，２に示したラッフルの断面図である。
【図４】図３に示したものの正面図である。
【図５】従来のフランジビーム機構組立状態の断面図である。
【図６】図５に示したものの部分的正面図である。
【符号の説明】
１  フランジ
２  バーレル
３  ラッフル
４  中心軸材
５  アンカープレート
６  ロックナット
７  嵌合段部
８  固定手段
１１  放射状リブ
１２  バーレルにおける雌螺条
１３  制動部
１４  係止鍔
１５  アンカープレートの係合螺条
１６  アンカープレートの開口
１７  フランジの接合面
１８  係止段
２０  分割締付金具
２１  従来のフランジ
２２  従来のビームバーレル
２３  そのラッフル
２４  中心軸
２５  内装部材
２５ａ  中心軸筒
２５ｂ  外側接合筒
２５ｃ  接合座
２６  取付ボルト
２７  取付ボルト
２８  緊締座
２９  緊締子
３０  突座
３１  係合溝
３２  係合溝
３３  補強リブ
３４  補強リブ
３５  補強リブ
【図１】
0003718732.tif 000002
【図２】
0003718732.tif 000003
【図３】
0003718732.tif 000004
【図４】
0003718732.tif 000005
【図５】
0003718732.tif 000006
【図６】
0003718732.tif 000007